【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
近接場通信（ＮＦＣ）型動作を近接場モードで実行すべきかそれとも遠方場モードで実行すべきかを決定することと、
前記近接場モードにあるとき、ＮＦＣループアンテナを使用して近接場領域の内側で前記ＮＦＣ型動作を実行することと、
前記遠方場モードにあるとき、再利用されるワイヤレスワイドエリアネットワーク（ＷＷＡＮ）アンテナを使用して前記近接場領域の外側で前記ＮＦＣ型動作を実行することと、
前記遠方場モードを決定することに応答して、前記近接場領域の外側で前記ＮＦＣ型動作およびＷＷＡＮ通信のためのパケットアービトレーション手順を実行することと、
を備える方法。
【請求項２】
前記ＮＦＣ型動作が、ＮＦＣプロトコルまたは無線周波数識別（ＲＦＩＤ）プロトコルに基づくワイヤレス通信を含む、請求項１に記載の方法。
【請求項３】
前記近接場領域の外側で前記ＮＦＣ型動作を実行することが、前記再利用されるＷＷＡＮアンテナを使用して、遠方場領域の中で動作するキャリア信号を送信することまたは受信することを備える、請求項１に記載の方法。
【請求項４】
前記ＮＦＣ型動作が、近放射領域、遷移領域、または放射領域の中で実行される、請求項１に記載の方法。
【請求項５】
前記ＮＦＣ型動作が遠方場無線によって実行される、請求項１に記載の方法。
【請求項６】
ＮＦＣ型動作を前記近接場モードで実行すべきかそれとも前記遠方場モードで実行すべきかを決定することが、前記近接場領域および遠方場領域の中でポーリングすることに基づく、請求項１に記載の方法。
【請求項７】
ＮＦＣ型動作を前記近接場モードで実行すべきかそれとも前記遠方場モードで実行すべきかを決定することが、近接場モードまたは遠方場モードで動作するように構成されているソフトウェアアプリケーションを動作させることをユーザが選択することに基づく、請求項１に記載の方法。
【請求項８】
ＮＦＣ型動作を前記近接場モードで実行すべきかそれとも前記遠方場モードで実行すべきかを決定することが位置情報に基づく、請求項１に記載の方法。
【請求項９】
前記ＮＦＣ型動作がＮＦＣコントローラによって実行される、請求項１に記載の方法。
【請求項１０】
前記近接場モードで使用される第１のインピーダンスから前記遠方場モードで使用される第２のインピーダンスまで整合ネットワークを調整することをさらに備え、ここにおいて、前記第１のインピーダンスが、近接場周波数に一致する第１の共振ピークを生じさせ、前記第２のインピーダンスが、遠方場周波数に一致する第２の共振ピークを生じさせる、請求項１に記載の方法。
【請求項１１】
前記ＷＷＡＮアンテナが、ダイプレクサを用いてＮＦＣコントローラおよびＷＷＡＮブロックに結合されている、請求項１に記載の方法。
【請求項１２】
前記再利用されるＷＷＡＮアンテナが、ワイヤレスローカルエリアネットワーク（ＷＬＡＮ）通信またはＢｌｕｅｔｏｏｔｈ（ＢＴ）通信のために使用される、請求項１に記載の方法。
【請求項１３】
ＷＬＡＮ動作およびＮＦＣ型動作が、共通の無線と前記再利用されるＷＷＡＮアンテナとを共有する、請求項１２に記載の方法。
【請求項１４】
前記共通の無線が、遠方場領域の中でのＮＦＣ型動作のために再構成可能なＷＬＡＮ８０２．１１ａｈ無線である、請求項１３に記載の方法。
【請求項１５】
ＷＬＡＮ動作およびＮＦＣ型動作からのベースバンド信号が、前記共通の無線へ多重化される、請求項１３に記載の方法。
【請求項１６】
ＷＬＡＮ動作およびＮＦＣ型動作が、完全な同時実行のために低雑音増幅器（ＬＮＡ）を共有し電力増幅器（ＰＡ）を共有する、請求項１２に記載の方法。
【請求項１７】
ワイヤレスローカルエリアネットワーク（ＷＬＡＮ）通信のために使用されるメディアアクセス制御（ＭＡＣ）、モデム、および無線が、ＮＦＣ型動作のために再構成される、請求項１に記載の方法。
【請求項１８】
ＮＦＣ型動作用の遠方場周波数が前記再利用されるＷＷＡＮアンテナによって単体でサポートされるかどうかを決定することと、
前記再利用されるＷＷＡＮアンテナによって単体でサポートされ得るよりも前記遠方場周波数が低いとき、前記近接場領域の外側でＮＦＣ型動作を実行するための複合アンテナを作成するために、前記再利用されるＷＷＡＮアンテナとＮＦＣループアンテナとを組み合わせることと、
をさらに備える、請求項１に記載の方法。
【請求項１９】
ＮＦＣループアンテナを使用して前記近接場領域の内側で、および前記再利用されるＷＷＡＮアンテナを使用して前記近接場領域の外側で、同時のＮＦＣ型動作を実行することをさらに備える、請求項１に記載の方法。
【請求項２０】
近接場領域の外側で前記ＮＦＣ型動作を実行することが、遠方場周波数を使用してポーリング周波数掃引を実行することを備える、請求項１に記載の方法。
【請求項２１】
前記ＷＷＡＮアンテナが、セルラ通信のために構成される、請求項１に記載の方法。
【請求項２２】
ワイヤレス通信デバイスであって、
プロセッサと、
前記プロセッサと通信しているメモリと、
前記メモリに記憶された命令と、を備え、前記命令が前記プロセッサによって、
近接場通信（ＮＦＣ）型動作を近接場モードで実行すべきかそれとも遠方場モードで実行すべきかを決定し、
前記近接場モードにあるとき、ＮＦＣループアンテナを使用して近接場領域の内側で前記ＮＦＣ型動作を実行し、
前記遠方場モードにあるとき、再利用されるワイヤレスワイドエリアネットワーク（ＷＷＡＮ）アンテナを使用して前記近接場領域の外側で前記ＮＦＣ型動作を実行し、
前記遠方場モードを決定することに応答して、前記近接場領域の外側で前記ＮＦＣ型動作およびＷＷＡＮ通信のためのパケットアービトレーション手順を実行するように実行可能である、
ワイヤレス通信デバイス。
【請求項２３】
前記ＮＦＣ型動作が、ＮＦＣプロトコルまたは無線周波数識別（ＲＦＩＤ）プロトコルに基づくワイヤレス通信を含む、請求項２２に記載のワイヤレス通信デバイス。
【請求項２４】
前記近接場領域の外側で前記ＮＦＣ型動作を実行することが、前記再利用されるＷＷＡＮアンテナを使用して、遠方場領域の中で動作するキャリア信号を送信することまたは受信することを備える、請求項２２に記載のワイヤレス通信デバイス。
【請求項２５】
前記ＮＦＣ型動作が遠方場無線によって実行される、請求項２２に記載のワイヤレス通信デバイス。
【請求項２６】
前記ＮＦＣ型動作がＮＦＣコントローラによって実行される、請求項２２に記載のワイヤレス通信デバイス。
【請求項２７】
前記再利用されるＷＷＡＮアンテナが、ワイヤレスローカルエリアネットワーク（ＷＬＡＮ）通信またはＢｌｕｅｔｏｏｔｈ（ＢＴ）通信のために使用される、請求項２２に記載のワイヤレス通信デバイス。
【請求項２８】
ワイヤレス通信のための装置であって、
近接場通信（ＮＦＣ）型動作を近接場モードで実行すべきかそれとも遠方場モードで実行すべきかを決定するための手段と、
前記近接場モードにあるとき、ＮＦＣループアンテナを使用して近接場領域の内側で前記ＮＦＣ型動作を実行するための手段と、
前記遠方場モードにあるとき、再利用されるワイヤレスワイドエリアネットワーク（ＷＷＡＮ）アンテナを使用して前記近接場領域の外側で前記ＮＦＣ型動作を実行するための手段と、
前記遠方場モードを決定することに応答して、前記近接場領域の外側で前記ＮＦＣ型動作およびＷＷＡＮ通信のためのパケットアービトレーション手順を実行するための手段と、
を備える装置。
【請求項２９】
前記ＮＦＣ型動作が、ＮＦＣプロトコルまたは無線周波数識別（ＲＦＩＤ）プロトコルに基づくワイヤレス通信を含む、請求項２８に記載の装置。
【請求項３０】
前記近接場領域の外側で前記ＮＦＣ型動作を実行することが、前記再利用されるＷＷＡＮアンテナを使用して、遠方場領域の中で動作するキャリア信号を送信することまたは受信することを備える、請求項２８に記載の装置。
【請求項３１】
前記ＮＦＣ型動作が遠方場無線によって実行される、請求項２８に記載の装置。
【請求項３２】
前記ＮＦＣ型動作がＮＦＣコントローラによって実行される、請求項２８に記載の装置。
【請求項３３】
前記再利用されるＷＷＡＮアンテナが、ワイヤレスローカルエリアネットワーク（ＷＬＡＮ）通信またはＢｌｕｅｔｏｏｔｈ（ＢＴ）通信のために使用される、請求項２８に記載の装置。
【請求項３４】
ワイヤレス通信のためのコンピュータプログラム製品であって、前記コンピュータプログラム製品が、その上に命令を有する非一時的コンピュータ可読媒体を備え、前記命令が、
近接場通信（ＮＦＣ）型動作を近接場モードで実行すべきかそれとも遠方場モードで実行すべきかをワイヤレス通信デバイスに決定させるためのコードと、
前記近接場モードにあるとき、ＮＦＣループアンテナを使用して近接場領域の内側で前記ＮＦＣ型動作を前記ワイヤレス通信デバイスに実行させるためのコードと、
前記遠方場モードにあるとき、再利用されるワイヤレスワイドエリアネットワーク（ＷＷＡＮ）アンテナを使用して近接場領域の外側で前記ＮＦＣ型動作を前記ワイヤレス通信デバイスに実行させるためのコードと、
前記遠方場モードを決定することに応答して、前記近接場領域の外側で前記ＮＦＣ型動作およびＷＷＡＮ通信のためのパケットアービトレーション手順を前記ワイヤレス通信デバイスに実行させるためのコードと、
を備える、コンピュータプログラム製品。
【請求項３５】
前記ＮＦＣ型動作が、ＮＦＣプロトコルまたは無線周波数識別（ＲＦＩＤ）プロトコルに基づくワイヤレス通信を含む、請求項３４に記載のコンピュータプログラム製品。
【請求項３６】
前記近接場領域の外側でＮＦＣ型動作を実行することが、前記再利用されるＷＷＡＮアンテナを使用して、遠方場領域の中で動作するキャリア信号を送信することまたは受信することを備える、請求項３４に記載のコンピュータプログラム製品。
【請求項３７】
前記ＮＦＣ型動作が遠方場無線によって実行される、請求項３４に記載のコンピュータプログラム製品。
【請求項３８】
前記ＮＦＣ型動作がＮＦＣコントローラによって実行される、請求項３４に記載のコンピュータプログラム製品。
【請求項３９】
前記再利用されるアンテナが、ワイヤレスローカルエリアネットワーク（ＷＬＡＮ）通信またはＢｌｕｅｔｏｏｔｈ（ＢＴ）通信のために使用される、請求項３４に記載のコンピュータプログラム製品。